(57)【特許請求の範囲】
【請求項１】
１色または２色以上のトナーを含むトナー像を形成する作像手段に設けられてトナー像を担持するトナー像担持体と、トナー像担持体からトナー像が１次転写される中間転写手段と、中間転写手段からトナー像が２次転写され、転写されたトナー像を記録媒体に３次転写しかつ記録媒体に定着させる転写定着手段とを含む画像形成装置であって、
中間転写手段を介して転写定着手段に押圧するようにして設けられる２次転写部材を含み、
転写定着手段に中間転写手段を介して２次転写部材が押圧されることによって形成される圧接部である第１ニップ部の圧力が、５．３Ｎ／ｃｍ２〜２０Ｎ／ｃｍ２であり、
転写定着手段は、転写定着ローラに押圧される加圧部材を含み、転写定着ローラは、少なくともゴム層を有し、ゴム層の硬さがアスカＣ硬度で７０°〜９０°であり、転写定着ローラに加圧部材が押圧されることによって形成される圧接部である第２ニップ部の圧力が、１３．３Ｎ／ｃｍ２〜３３．３Ｎ／ｃｍ２であり、第１ニップ部から、転写定着ローラに加圧部材が押圧されて形成される第２ニップ部までの周方向の長さが、５０ｍｍ以上であって、転写定着手段および中間転写手段が駆動され、転写定着ローラの駆動速度に対する中間転写手段の駆動速度の比が、１．０２〜１．０４であり、中間転写手段はトナー像担持体からトナー像が１次転写される中間転写ベルトを含み、中間転写ベルトの体積抵抗率が１×１０７Ω・ｃｍ以上１×１０９Ω・ｃｍ未満であることを特徴とする画像形成装置。
【請求項２】
転写定着ローラは、
表層にテトラフルオロエチレンとパーフルオロアルキルビニルエーテルとの共重合体の塗布層を有することを特徴とする請求項１記載の画像形成装置。
【発明の詳細な説明】
【技術分野】
【０００１】
本発明は、電子写真プロセスを用いる画像形成装置に関する。
【背景技術】
【０００２】
電子写真プロセスを用いる画像形成は、複写機、プリンタ、ファクシミリ装置などに広く利用されている。電子写真プロセスを用いる画像形成では、表面に光導電性物質を含む感光層を形成した感光体を用い、感光体表面に電荷を付与して均一に帯電させた後、種々の作像プロセスによって画像情報に対応する静電潜像を形成し、この静電潜像を現像手段から供給されるトナーで現像してトナー像とし、トナー像を記録紙などの記録媒体に転写し、定着する。
【０００３】
記録媒体に転写し定着された画像の品質を向上し、また感光体上に形成されたトナー像のトナー量に対する記録媒体上に転写されたトナー量の比である転写効率を向上させるために、従来、種々の転写方法および定着方法が提案されている。
【０００４】
そのような従来技術の一つに、感光体上に形成されたトナー像を１次転写媒体上に転移する工程、１次転写媒体に転移したトナー像を内部に熱源を有する２次転写媒体に転写する工程および２次転写媒体に転移したトナー像を記録媒体である転写紙に転移し定着する工程からなる転写方法がある（特許文献１参照）。
【０００５】
特許文献１の技術によれば、２次転写媒体上でトナーを予備加熱することによって、記録媒体に転写する前にトナーを充分に加熱することができる。２次転写媒体上でトナーの温度を臨界界面温度近傍に到達させてから、その後、定着ニップ部にてトナーを記録媒体である記録紙に転写し定着させることによって、高速システム機においても、比較的低温の定着温度で定着強度を確保できるとする。また、１次転写媒体から２次転写媒体にトナー像を転移させる際、非電界転写システム（熱による熱転写システム）を採用しているので、従来の電界転写方式と比較すると、転写効率が高く、またトナー飛散の少ない、高画質の画像が得られるとする。
【０００６】
しかしながら、特許文献１には、以下のような問題がある。特許文献１では、１次転写媒体として表面平滑性の良いシリコーンＲＴＶ（Room Temperature Vulcanizable）ベルトを用い、２次転写媒体としてハロゲンランプを内設するアルミニウム（Ａｌ）芯金上にシリコーンＲＴＶを設けた直径１２０ｍｍの加熱ローラを用いる。
【０００７】
特許文献１では、トナーを感光体ベルトから１次転写媒体、１次転写媒体から２次転写媒体、２次転写媒体から記録紙へと転移させていくが、転写媒体の表層材としてシリコーンＲＴＶを用いると、１次転写媒体から２次転写媒体への転移時に熱転写を行ってトナーを転移させる場合、シリコーンＲＴＶはトナーとの離型性が充分ではないので、１次転写媒体上のシリコーンＲＴＶ表面にトナーが固着して残留しやすく、感光体ベルトと１次転写媒体とのニップ部においてトナーの分断、オフセットが起こる。
【０００８】
トナーの分断、オフセットが起こると、トナーの一部が１次転写媒体上に残留し、その後のトナー像を形成するトナー量に不足が生じるので、画質低下が起こるという問題がある。また、２次転写媒体から記録紙へトナー像を転移させる際においても、同様の離型性不良により、オフセット現象が生じ、２次転写媒体上にトナーが残り、著しい画質低下を起こすという問題がある。
【０００９】
このようなオフセットによる画質低下の問題を通常の定着システムで解決しようとすれば、トナーの離型性を向上するためにシリコーンＲＴＶにシリコーンオイル等の離型性を有する液体を塗布しなければならない。しかしながら、特許文献１に開示されるような、感光体ベルトから１次転写媒体、１次転写媒体から２次転写媒体上に熱転写し、その後、記録紙に転写定着を行う、いわゆる２段階トランスフューズシステムであると、シリコーンオイルを塗布することによる弊害、すなわちシリコーンオイルによる感光体ベルトおよび現像部のオイル汚染という問題がある。
【００１０】
これは、１次転写媒体と感光体ベルトとが接触しているので、オイルが１次転写媒体から感光体ベルト側にまわってしまい、静電潜像形成および現像時のトナー像形成に悪影響を及ぼすことによる。さらに、感光体ベルトを通して、現像槽内にもオイルがまわってしまうので、現像不良も惹起するという問題がある。
【００１１】
また、別な弊害として、離型性の良いシリコーンオイルが１次転写媒体と２次転写媒体とのニップ部に介在することによって、２次転写媒体がシリコーンオイルによって高離型性を有するようになり、１次転写媒体から２次転写媒体へのトナーの熱転移が良好に行われなくなる、すなわち熱転写性が大きく損なわれるという問題がある。
【００１２】
特許文献１では、オイルを用いることの問題を避けるために、現像剤に離型性を付与する離型剤を添加している。現像剤に離型剤を添加することによって、転写媒体および定着ローラにシリコーンオイルを塗布しなくても、転写および定着できるオイルレス方式が実現可能であるけれども、オイルレス方式を採る場合における転写媒体および定着ローラの表面は、テトラフルオロエチレンとパーフルオロアルキルビニルエーテルとの共重合体（略称ＰＦＡ）のチューブで構成されるか、またはＰＦＡコーティングされるのが通常であり、離型剤添加型の現像剤を使用する場合に所望の離型性を得ようとすれば、表面材質としてＰＦＡ以外のもので代用することは困難なのが実情である。
【００１３】
特許文献１において、１次転写媒体および２次転写媒体の表層材質として例示されるシリコーンＲＴＶは、離型性が悪いので、離型剤添加型の現像剤を用いた場合であっても、１次転写媒体上、もしくは２次転写媒体上で、離型性不良による画質低下が起こると考えられる。
【００１４】
また、省電力という観点においても、特許文献１の技術には以下の問題がある。
現在、画像形成処理能率向上の要請に伴い、カラー複写機、複合機などに求められるプロセススピードとしては、一般的に２００ｍｍ／ｓｅｃ〜４００ｍｍ／ｓｅｃ程度が求められている。しかしながら、通常、上記のような高速プロセスを用いると、最大消費電力が商用電源の電力許容限界の１．５ｋＶＡ（１００Ｖ，１５Ａ）を遥かに超えてしまうので、高速プロセス機を一般的なオフィスまたは家庭等で使用するには大容量の電源が必要になる。
【００１５】
画像形成装置における消費電力の内訳は、定着部における消費電力が最も多く、高速で複数枚の連続印字を行うとき、オフセットを起こさないようにするには定着温度を高く設定する必要があり、一層消費電力を増大させる傾向にある。
【００１６】
また、高速プロセスであると、単位時間当たりの画像形成枚数が増えるので、連続通紙時に定着ローラ表面の熱が記録紙に取られてしまい、定着ローラ表面の温度が急激に低下して所定の定着温度に復帰するまでに時間が掛かってしまう、いわゆる熱追従性低下の問題がある。
【００１７】
従来用いられている定着方式、すなわち、転写部において静電的な作用で記録紙上にトナー像を転写させた後、加熱したローラ対（定着ローラ内にハロゲンランプを設けて加熱するとともに、定着ローラに圧接する加圧ローラとの間にニップを形成してなるローラ対）で形成されるニップ部に記録紙を搬送し、ニップ部でトナーを溶融し記録紙に定着させる方式では、定着ローラ表面のゴム層を薄肉化したり、また、定着ローラ内部に設置する加熱ランプとしてワット数の高いものを選択したりして、連続通紙時における定着温度の低下に対する熱追従性の向上を試みている。
【００１８】
したがって、高速プロセス機では、オフセット性を満足させながら充分な定着を行うために、高ワット数の熱源を設置したり、定着ローラ径を大きくして加熱効率を上げるようにしたり、また定着ローラに対して加圧部材であるエンドレスベルトを巻掛けて当接し定着ニップ幅の確保を行ったりしている。
【００１９】
特許文献１では、転移されたトナーを転写紙に転移し定着する２次転写媒体として、直径１２０ｍｍの大きな径の加熱ローラを用いる方法を採る。加熱ローラが、１２０ｍｍの大きな外径であると、ハロゲンランプとローラ芯金であるＡｌ芯金との空隙が大き過ぎるので、伝熱効率が悪く、昇温時間が掛かる。さらに、２次転写媒体の表面積も大きく、２次転写媒体から大気中に放熱される放熱量も大きくなり加熱ロスが増大するので、特許文献１のような大径ローラを使うと、電力ロスが増大して省エネルギに逆行し、低消費電力で高速定着を行うとする転写定着方式を採用することの主旨が充分に生かされないという問題がある。
【００２０】
また、高速プロセスになると、トナー像の転写に要する時間が短くなるので、転写効率も８５％ないし９５％と低くなり、トナーの使用効率が悪く、廃トナーが多くなり、無駄が多くなる。したがって、高速プロセスにおいて、転写効率を向上し、廃トナーの発生量を低減することが望まれている。
【００２１】
【特許文献１】特開昭６３−３４５７２号公報
【発明の開示】
【発明が解決しようとする課題】
【００２２】
本発明の目的は、高速プロセスにおいて、トナー像の高画質転写定着を可能にするとともに、転写効率を向上して廃トナーの発生量を低減し、比較的低い定着温度でも良好な定着強度を有する画像を形成できる画像形成装置を提供することである。
【課題を解決するための手段】
【００２３】
本発明は、１色または２色以上のトナーを含むトナー像を形成する作像手段に設けられてトナー像を担持するトナー像担持体と、トナー像担持体からトナー像が１次転写される中間転写手段と、中間転写手段からトナー像が２次転写され、転写されたトナー像を記録媒体に３次転写しかつ記録媒体に定着させる転写定着手段とを含む画像形成装置であって、
中間転写手段を介して転写定着手段に押圧するようにして設けられる２次転写部材を含み、
転写定着手段に中間転写手段を介して２次転写部材が押圧されることによって形成される圧接部である第１ニップ部の圧力が、５．３Ｎ／ｃｍ２〜２０Ｎ／ｃｍ２であり、
転写定着手段は、転写定着ローラに押圧される加圧部材を含み、転写定着ローラは、少なくともゴム層を有し、ゴム層の硬さがアスカＣ硬度で７０°〜９０°であり、転写定着ローラに加圧部材が押圧されることによって形成される圧接部である第２ニップ部の圧力が、１３．３Ｎ／ｃｍ２〜３３．３Ｎ／ｃｍ２であり、第１ニップ部から、転写定着ローラに加圧部材が押圧されて形成される第２ニップ部までの周方向の長さが、５０ｍｍ以上であって、転写定着手段および中間転写手段が駆動され、転写定着ローラの駆動速度に対する中間転写手段の駆動速度の比が、１．０２〜１．０４であり、中間転写手段はトナー像担持体からトナー像が１次転写される中間転写ベルトを含み、中間転写ベルトの体積抵抗率が１×１０７Ω・ｃｍ以上１×１０９Ω・ｃｍ未満であることを特徴とする画像形成装置である。
【００２５】
また本発明は、転写定着ローラは、表層にテトラフルオロエチレンとパーフルオロアルキルビニルエーテルとの共重合体の塗布層を有することを特徴とする。
【発明の効果】
【００２９】
本発明によれば、トナー像担持体から中間転写手段にトナー像を１次転写し、中間転写手段から転写定着手段にトナー像を２次転写し、転写定着手段から記録媒体にトナー像を３次転写しかつ定着させる画像形成装置において、中間転写手段を介して転写定着手段に押圧するように設けられる２次転写部材と転写定着手段とが押圧されることによって形成される第１ニップ部の圧力が、５．３Ｎ／ｃｍ２〜２０Ｎ／ｃｍ２に設定され、転写定着手段の駆動速度に対する中間転写手段の駆動速度の比が、１．０２〜１．０４に設定される。このように、第１ニップ部の圧力および中間転写手段と転写定着手段との駆動速度比が、好適範囲に設定されるので、中間転写手段から転写定着手段に対するトナーの転写効率を向上して廃トナーの発生量を低減し、画質低下を生じることなくトナー像を転写することが可能になる。
【００３０】
また、転写定着手段は中間転写手段からトナー像が２次転写される転写定着ローラを含み、転写定着ローラは、少なくともゴム層を有しゴム層の硬さがアスカＣ硬度で７０°〜９０°であるように設定される。このことによって、ゴム層の弾性変形により、記録媒体表面の凹凸に対して良好な追従性を発揮することができるので、マイクロオフセットの発生を防止し、ゴム層のせん断変形によるトナーの掻取力を発揮して高効率転写を実現することができる。
【００３１】
また本発明によれば、転写定着ローラは、表層にテトラフルオロエチレンとパーフルオロアルキルビニルエーテルとの共重合体（以後、略称のＰＦＡで表記する）の塗布層を有するので、離型性に優れる薄い表層が実現される。このことによって、ＰＦＡ塗布層の存在が転写定着ローラの弾性変形を阻害することがなく、転写定着ローラに備わるゴム層が記録媒体表面の凹凸に対する追従性を良好に保つことができるので、マイクロオフセットの発生を防止し、ゴム層のせん断変形によるトナーの掻取力を発揮して高効率転写を実現することができる。
【００３２】
また、転写定着手段は、転写定着ローラに押圧される加圧部材を含み、転写定着ローラに加圧部材が押圧されることによって形成される圧接部である第２ニップ部の圧力が、１３．３Ｎ／ｃｍ２〜３３．３Ｎ／ｃｍ２であるように設定される。このことによって、転写定着ローラの寿命を長くし、またマイクロオフセットの発生を防止することができる。
【００３３】
また、転写定着ローラは、第１ニップ部から第２ニップ部までの周方向の長さが５０ｍｍ以上である大きさを有するので、中間転写手段から転写されたトナーを、記録媒体に転写するまでの間に転写定着ローラで事前加熱を充分に行うことができる。このことによって、比較的低い定着温度であっても記録媒体上におけるトナー像の充分良好な定着強度を確保し、高画質な画像を得ることが可能になる。
【００３４】
また、中間転写手段は中間転写ベルトを含み、中間転写ベルトの体積抵抗率が１×１０７Ω・ｃｍ〜１×１０９Ω・ｃｍに設定されるので、中間転写ベルトの帯電が抑制され、中間転写ベルトから転写定着ローラに対してトナー像を熱転写する際のトナー離れを良好にすることができる。
【発明を実施するための最良の形態】
【００３５】
図１は、本発明の実施の一形態である画像形成装置１の構成を示す図である。画像形成装置１は、たとえばパーソナルコンピュータなどの外部装置から入力される画像情報に応じ、記録媒体である記録紙などに対して単色（モノクロ）画像または、ブラック、シアン、マゼンタおよびイエローの４色のトナー像を順次重ね合わせて多色（フルカラー）画像を形成する、いわゆるタンデム構成のカラーレーザプリンタである。
【００３６】
画像形成装置１は、大略、トナー像を形成する作像手段２と、トナー像（図中Ｔで表記）が１次転写される中間転写手段３と、中間転写手段３からトナー像が２次転写され、転写されたトナー像を記録媒体Ｐに３次転写しかつ記録媒体Ｐに定着させる転写定着手段４とを含んで構成される。
【００３７】
作像手段２は、後述する中間転写手段３に含まれる中間転写ベルト２１の回転駆動方向である矢符ｚ方向における上流側から順に配置される作像ユニット１０ｂ，１０ｃ，１０ｍ，１０ｙを含む。作像ユニット１０ｂ，１０ｃ，１０ｍ，１０ｙは、それぞれブラック色トナー、シアン色トナー、マゼンタ色トナーまたはイエロー色トナーを使用する以外は、同一の構成を有するので、対応する部分には同一の参照符号を付し、さらに各参照符号の末尾にトナーのブラック色を示す「ｂ」、シアン色を示す「ｃ」、マゼンタ色を示す「ｍ」またはイエロー色を示す「ｙ」を付して個々のユニットを表記する。なお、作像ユニットおよび作像ユニットの各部を総称する場合は参照符号のみにて示し、個々のユニットを区別して示す場合は参照符号の末尾に上記トナー色を表すアルファベットを付して示す。
【００３８】
作像ユニット１０は、上記のように同一の構成を有するので、ブラック色トナーを使用する作像ユニット１０ｂで代表して構成を説明し、他の作像ユニットについては説明を省略する。
【００３９】
図２は、作像ユニット１０ｂ部分の構成を示す拡大図である。作像ユニット１０ｂは、トナー像担持手段である感光体ドラム１１ｂと、帯電器１２ｂと、露光ユニット１３ｂと、現像装置１４ｂと、クリーナユニット１５ｂとを含んで構成される。
【００４０】
感光体ドラム１１ｂは、画像形成装置１の上部に配置され、図示しない駆動手段によって軸心回りに回転自在に支持されるローラ状部材であり、その表面に露光ユニット１３ｂからのレーザ光の照射によって画像情報に応じた静電潜像を形成するための感光層を有する。
【００４１】
帯電器１２ｂは、感光体ドラム１１ｂの表面を所定の電位に均一に帯電させるための帯電部材である。帯電器１２ｂには、接触タイプのローラ型、ブラシ型またはチャージャー型などのいずれであっても用いることができる。
【００４２】
露光ユニット１３ｂは、レーザスキャニングユニット（ＬＳＵ）で構成される。露光ユニット１３ｂは、均一な帯電状態にある感光体ドラム１１ｂを、画像情報に対応するレーザ光を照射して露光することによって、感光体ドラム１１ｂの表面にブラック色の画像情報に対応する静電潜像を形成する。
【００４３】
現像装置１４ｂは、感光体ドラム１１ｂ表面の静電潜像に、現像槽内に収容される現像剤のトナーを現像ローラ１６ｂから供給して顕像化、すなわちトナー像を形成する。現像ローラ１６ｂは、感光体ドラム１１ｂ表面に対向してかつ軸心回りに回転駆動可能に設けられ、現像装置１４ｂ内で電荷を付与されて帯電し、現像ローラ１６ｂの表面に付着したトナーを、感光体ドラム１１ｂ表面の静電潜像に対して供給する。
【００４４】
クリーナユニット１５ｂは、感光体ドラム１１ｂ表面のトナー像が、中間転写手段３に１次転写された後、感光体ドラム１１ｂの表面に残留するトナーを除去、回収する。
【００４５】
作像ユニット１０ｂによれば、回転駆動する感光体ドラム１１ｂの表面を帯電器１２ｂにて均一に帯電させ、露光ユニット１３ｂから画像情報に応じたレーザ光を照射して静電潜像を形成し、静電潜像に現像装置１４ｂからブラック色トナーを供給して現像を行い、ブラック色トナー像を形成する。このトナー像が中間転写手段３に１次転写された後、感光体ドラム１１ｂの表面に残留するトナーをクリーナユニット１５ｂによって除去クリーニングして回収する。以後、同様の作像動作が繰返し実行される。
【００４６】
なお、作像ユニット１０ｂ以外の作像ユニット１０においては、作像ユニット１０ｃがシアン色の画像情報に対応するトナー像を形成し、作像ユニット１０ｍがマゼンタ色の画像情報に対応するトナー像を形成し、作像ユニット１０ｙがイエロー色の画像情報に対応するトナー像を形成する。
【００４７】
図１に戻って、中間転写手段３は、中間転写ベルト２１と、駆動ローラ２２と、従動ローラ２３と、各作像ユニット１０に対応して設けられる１次転写ローラ２４ｂ，２４ｃ，２４ｍ，２４ｙ（総称する場合は参照符号２４のみで表記する）とを含み、作像手段２の下方に１次転写媒体である中間転写ベルト２１が感光体ドラム１１に接するように配置される。
【００４８】
中間転写ベルト２１は、駆動ローラ２２と、従動ローラ２３と、１次転写ローラ２４とに架けまわされる。駆動ローラ２２には、不図示の回転駆動手段が設けられる。回転駆動手段による駆動ローラ２２の軸心まわりの回転によって、中間転写ベルト２１が矢符ｚ方向に回転駆動する。
【００４９】
本実施形態の駆動ローラ２２は、肉厚０．５ｍｍの鋼製の中空芯金２５と、中空芯金２５の表面に被覆される厚さ１００μｍのシリコーンゴムからなる被覆層２６とで構成され、その直径が５０ｍｍである。被覆層２６は、中間転写ベルト２１との摩擦力を大きくし、中間転写ベルト２１に対する駆動ローラ２２の駆動力を確保する目的で設けられる。駆動ローラ２２には、中間転写ベルト２１が約１８０°の巻付け角で巻掛けられている。
【００５０】
従動ローラ２３は、駆動ローラ２２と同様に鋼製の中空芯金２７と被覆層２８とによって構成され、架けまわされる中間転写ベルト２１に張力を与えるとともに、中間転写ベルト２１を介して伝達される駆動ローラ２２の回転駆動力によって従動回転する。
【００５１】
１次転写ローラ２４は、各作像ユニット１０に備わる感光体ドラム１１に、中間転写ベルト２１を介して対向するようにして回転可能に配設される。１次転写ローラ２４には感光体ドラム１１の表面に形成されているトナー像と逆極性の転写バイアスが印加され、各感光体ドラム１１に形成される各色のトナー像を、１次転写ローラ２４で中間転写ベルト２１に順次重ねて１次転写することによって、中間転写ベルト２１上にフルカラーのトナー像が形成される。
【００５２】
図３は、中間転写ベルト２１の構成を示す断面図である。中間転写ベルト２１は、無端状かつシームレスベルト構造を有し、ベルト基材３１と、ベルト基材３１の外周面上に形成される離型層３２とで構成される。
【００５３】
本実施形態では、中間転写ベルト２１は、周長５００ｍｍの長さを有する。ベルト基材３１は、たとえば厚さ９０μｍのポリイミドからなる。ベルト基材３１には導電性フィラーが配合され、体積抵抗率が１×１０７Ω・ｃｍ以上、１×１０９Ω・ｃｍ以下になるように抵抗調整される。導電性フィラーとしては、たとえばカーボンブラック等が用いられる。なお、体積抵抗率は、たとえばハイレスタＵＰ（株式会社ダイアインスツルメンツ製）によって測定することができる。
【００５４】
体積抵抗率が１×１０７Ω・ｃｍ〜１×１０９Ω・ｃｍの範囲内の中間転写ベルト２１を用いることによって、中間転写ベルト２１の帯電が抑制され、後述する転写定着ローラ４１に２次転写ローラ４３が押圧されることによって形成される圧接部である第１ニップ部５０で、転写定着手段４に熱転写（２次転写）される際の中間転写ベルト２１からのトナー離れが良好になる。
【００５５】
中間転写ベルト２１の体積抵抗率が１×１０９Ω・ｃｍを超えると、中間転写ベルト２１の帯電電位が一旦上昇したとき（主として、１次転写ローラ２４で転写のためのバイアスが印加されるが、その時に中間転写ベルト２１が帯電する）、電位が減衰しにくくなるので、中間転写ベルト２１がトナーの帯電電位と逆の電位を有することになり、トナーが中間転写ベルト２１に静電吸着され、中間転写ベルト２１からのトナー離れが悪くなる。
【００５６】
中間転写ベルト２１の体積抵抗率が１×１０７Ω・ｃｍ未満では、感光体ドラム１１から中間転写ベルト２１上にトナーを転写させる１次転写の際、中間転写ベルト２１の体積抵抗率が低いことに起因して、転写散りが発生してしまうので、転写効率が低下するとともに、散ったトナーが装置内および記録紙を汚染するので画質低下を誘引する。したがって、中間転写ベルト２１の体積抵抗率を、１×１０７Ω・ｃｍ〜１×１０９Ω・ｃｍの範囲とし、好ましくは１×１０８Ω・ｃｍとする。
【００５７】
本実施形態では、離型層３２は、ＰＦＡであるパーフルオロアルコキシ樹脂を含む塗布層で形成される。離型層３２は、その厚さがたとえば１０μｍであり、その表面粗さＲａ（ＪＩＳ−Ｂ０６０１に規定される中心線平均粗さＲａ）が、０．６μｍ以下になるように形成される。中間転写ベルト２１の表層としてＰＦＡコートの離型層３２を形成することによって、中間転写ベルト２１から転写定着手段４への２次転写におけるトナー離れを一層良好にすることができる。
【００５８】
図４は、転写定着手段４の構成を示す拡大図である。転写定着手段４は、中間転写ベルト２１からトナー像が２次転写される転写定着ローラ４１と、転写定着ローラ４１に押圧される加圧部材である加圧ローラ４２とを含んで構成される。この転写定着手段４の転写定着ローラ４１に対して、中間転写ベルト２１を介して押圧するようにして２次転写部材４３である２次転写ローラ４３が設けられる。
【００５９】
転写定着手段４は、イエロー色の作像ユニット１０ｙよりも、中間転写ベルト２１の回転駆動方向ｚのさらに下流側であって、ブラック色の作像ユニット１０ｂとシアン色の作像ユニット１０ｃとの下方かつ両者のほぼ中間に、転写定着ローラ４１と加圧ローラ４２とが、この順に上下に並ぶようにして設けられる。
【００６０】
転写定着ローラ４１に押圧される本実施形態の２次転写ローラ４３は、円柱状のアルミニウム製の芯金４４の外周面上に、発泡性シリコーンゴム製の弾性層４５が形成される。２次転写ローラ４３の寸法は、たとえば外径が４０ｍｍ、弾性層４５の厚さが５ｍｍである。
【００６１】
２次転写ローラ４３の弾性層４５の硬さは、アスカＣ硬度（荷重９．８Ｎ）で３０°〜６０°になるように設定されることが好ましい。２次転写ローラ４３のアスカＣ硬度（荷重９．８Ｎ）を３０°〜６０°にすることによって、低い加圧力でも均一かつ広幅なニップ部を形成することができ、熱転写効率が良好になる。弾性層４５の硬さが、アスカＣ硬度３０°未満であると、２次転写ローラ４３に塑性変形が生じるようになり、耐久性に問題がある。一方、弾性層４５の硬さがアスカＣ硬度で６０°を超えると、２次転写ローラ４３が硬くなり過ぎるので、ニップ幅（ニップ部の円周方向の距離）を充分に確保することができず、転写効率が悪くなり、また面圧の上昇による中抜けも発生する。
【００６２】
この２次転写ローラ４３は、中間転写ベルト２１の内側であって転写定着ローラ４１の上に配置され、中間転写ベルト２１の外側に配置される転写定着ローラ４１に対して、中間転写ベルト２１を介し、加圧手段（図示せず）によって押圧され、第１ニップ部５０を形成する。
【００６３】
転写定着ローラ４１は、中空芯金４６と、中空芯金４６の外周面上に形成される中間層４７と、中間層４７の上に形成される塗布層４８と、中空芯金４６の内部に設けられるローラの加熱源であるヒータ４９とを含んで構成される。この転写定着ローラ４１は、不図示の回転駆動手段によって、矢符５１方向に回転駆動される。
【００６４】
本実施形態では、転写定着ローラ４１の外径は、４０ｍｍに形成される。中空芯金４６は、たとえば厚さ３ｍｍのアルミニウム製の管である。中間層４７は、たとえばシリコーンゴムからなるゴム層であり、その硬さがアスカＣ硬度（荷重９．８Ｎ）で７０°〜９０°に設定される。
【００６５】
シリコーンゴム材料として、ＪＩＳ−Ｋ６３０１に規定されるスプリング式硬さ試験におけるＡ５°でゴム厚みが１．５ｍｍのものを用いると、アスカＣ硬度（荷重９．８Ｎ）で７０°にすることができ、また、上記ＪＩＳにおけるＡ２０°でゴム厚みが０．５ｍｍのものを用いると、アスカＣ硬度（荷重９．８Ｎ）で９０°にすることができる。
【００６６】
この範囲内の硬さのゴムを用いて中間層４７を形成することによって、記録紙表面の微小な凹凸に対する中間層４７の変形追従性が良くなるので、マイクロオフセットと呼ばれる画質不良の発生を防止し、良好な画質の画像を得ることができる。ここで、マイクロオフセットとは、ローラのゴム層とトナー層とが、記録紙凹部と充分に密着することができず、凹部分のトナーが転写定着後に剥がれ落ちてしまう現象をいう。
【００６７】
転写定着ローラ４１を構成する中間層４７をなすゴム層の硬さは、アスカＣ硬度（荷重９．８Ｎ）で７０°〜９０°の範囲内で８０°であることが好ましい。マイクロオフセットの発生を防止すること、また中間層４７の耐久性を考慮して、ゴム破断強度がある程度高く、かつ変形能をも有することを条件にすると、耐用可能な下限値であるＪＩＳ−Ｋ６３０１のＡ２０°の硬さのゴムを用いることが好ましく、さらにローラの中間層４７としての厚さをも考慮するとアスカＣ硬度（荷重９．８Ｎ）で８０°となる。
【００６８】
転写定着ローラ４１の最外層としてＰＦＡの塗布層４８が形成される。ＰＦＡを塗布することによって、その厚さを薄くして形成することができる。たとえばローラの最外層をＰＦＡのチューブで形成しようとすると、製造工程および材料の問題によって厚さ２０〜３０μｍのものしか形成することができないけれども、塗布であれば１０μｍ程度の厚さで形成することができる。
【００６９】
厚さの薄いＰＦＡの塗布層４８を形成することによって、中間層４７の弾性を打ち消すことなく、記録紙表面の凹凸に対する変形追従性を向上させることができるので、マイクロオフセットの発生を防止することができ、また中間層４７のせん断変形によるトナーの掻取力を充分に発揮して高効率転写を実現することができる。また、ＰＦＡ塗布層４８は、トナーに対する離型性にも優れているので、オフセット現象を生じることなく、記録紙上に画質の良好な画像を形成できる。
【００７０】
中空芯金４６の内部に設けられるヒータ４９は、たとえばハロゲンランプなどが用いられる。なお、転写定着ローラ４１の加熱温度は、転写定着ローラ４１の近傍に設けられる温度センサと、温度センサの検出出力に応じてヒータ４９のオン／オフ動作を制御する制御電源とによって、設定制御されるが、温度センサと制御電源とについては図示を省略する。
【００７１】
この転写定着ローラ４１には、中間転写ベルト２１を介して上記２次転写ローラ４３が押圧され、両者の圧接部である第１ニップ部５０が形成される。第１ニップ部５０の圧力が、５．３Ｎ／ｃｍ２〜２０Ｎ／ｃｍ２になるように、好ましくは１２Ｎ／ｃｍ２になるように転写定着ローラ４１と２次転写ローラ４３とが押圧される。
【００７２】
第１ニップ部５０の圧力が５．３Ｎ／ｃｍ２未満であると、面圧不足により安定したニップ幅の確保ができないので、熱転写効率の低下による転写不良が生じ、また、転写不良に起因してカラーの色再現性が極端に悪くなる。逆に、第１ニップ部５０の圧力が２０Ｎ／ｃｍ２を超えると、トナーのフィルミングまた中抜けによる画質劣化が生じ、２次転写ローラ４３が塑性変形しやすくなりローラ寿命が短くなるという問題が発生する。
【００７３】
以下、第１ニップ部５０の圧力範囲の算定理由について説明する。第１ニップ部５０で形成されるニップ幅は、０．４ｃｍ〜０．５ｃｍである。ニップ部形成のために付与される力は、２次転写ローラ４３の強度（加圧力が高すぎると弾性ゴムの塑性変形が生じる）および熱転写効率を考慮すると、好適値としては、片側４０Ｎから１２０Ｎ程度である。これを面圧力に換算すると、最小値が式（１）で、最大値が式（２）で与えられる。なお、式（１）および式（２）中の「３０ｃｍ」は、ニップ長さすなわちローラ長さである。
４０Ｎ×２／（０．５ｃｍ×３０ｃｍ）＝５．３Ｎ／ｃｍ２          …（１）
１２０Ｎ×２／（０．４ｃｍ×３０ｃｍ）＝２０Ｎ／ｃｍ２          …（２）
【００７４】
さらに、第１ニップ部５０においては、中間転写ベルト２１が矢符ｚ方向へ回転駆動され、転写定着ローラ４１は矢符５１方向に回転駆動され、転写定着ローラの駆動速度Ｖｒに対する中間転写ベルト２１の駆動速度Ｖｂの比（Ｖｂ／Ｖｒ；以後駆動速度比と呼ぶ）が、１．０２〜１．０４になるように設定される。このことによって、中間転写ベルト２１から転写定着ローラ４１へのトナー像の２次転写の効率を高くすることができる。
【００７５】
駆動速度比（Ｖｂ／Ｖｒ）を１．０２〜１．０４になるように設定することによる転写効率向上の理由としては、以下のことが推察される。
【００７６】
転写定着ローラ４１の速度Ｖｒが中間転写ベルト２１の速度Ｖｂよりも遅いことによって、転写定着ローラ４１の中間層４７のゴム部分が、第１ニップ部５０において回転駆動方向と逆方向にストレスを受けてせん断変形する。しかしながら、第１ニップ部５０を通り過ぎると、中間層４７は、せん断変形が回復して元の形状に戻ろうとする。転写定着ローラ４１の中間層４７の元の形状に戻ろうとする力が、中間転写ベルト２１の表面からトナーを掻取る掻取力になるので、転写効率が向上する。
【００７７】
駆動速度比（Ｖｂ／Ｖｒ）が１．０２未満であると、転写定着ローラ４１の中間層４７に充分なせん断変形を生じさせることができないので、トナーの掻取効果が弱くなり、充分な転写効率を得ることはできない。逆に、駆動速度比（Ｖｂ／Ｖｒ）が１．０４を超えると、過度にせん断変形が生じるので、転写定着ローラ４１の軸線方向と平行に横しわが発生し、横しわによる画質低下、また速度差に起因する画像伸びに伴う白筋が顕著に発生する。
【００７８】
各作像ユニット１０の感光体ドラム１１に形成される各色のトナー像が、各１次転写ローラ２４によって中間転写ベルト２１上に順次重ねて１次転写されることによって形成されるフルカラーのトナー像は、中間転写ベルト２１の矢符ｚ方向への回転に伴って、２次転写ローラ４３と転写定着ローラ４１とによる第１ニップ部５０へ達する。
【００７９】
第１ニップ部５０に達したトナー像は、転写定着ローラ４１の熱の作用によって、転写定着ローラ４１上に熱転写される。このとき、前述のように、第１ニップ部５０の圧力が好適範囲に設定され、中間転写ベルト２１の表層が離型性に優れるＰＦＡで構成され、駆動速度比（Ｖｂ／Ｖｒ）が好適範囲に設定されるので、中間転写ベルト２１から転写定着ローラ４１へと、高い転写効率でトナー像を転写させることができる。
【００８０】
加圧ローラ４２は、芯金５２と、芯金５２の外周面上に形成される弾性層５３と、弾性層５３の外周面上に形成される被覆層５４とを含んで構成される。本実施形態では、加圧ローラ４２の外径は、４０ｍｍに形成される。芯金５２は、円柱状を有しアルミニウム製である。弾性層５３は、シリコーンゴムによって形成される。被覆層５４は、ＰＦＡチューブによって形成される。なお、高速プロセスに対応して芯金の内部にハロゲンランプを設ける場合、芯金には中空タイプのものが用いられる。
【００８１】
加圧ローラ４２は、不図示の加圧手段によって転写定着ローラ４１に押圧され、転写定着ローラ４１との圧接部である第２ニップ部５５が形成される。第２ニップ部５５は、２次転写ローラ４３と転写定着ローラ４１との間で形成される第１ニップ部５０に対して、転写定着ローラ４１の円周上でほぼ１８０度の対向位置に形成される。
【００８２】
第２ニップ部５５の圧力は、１３．３Ｎ／ｃｍ２〜３３．３Ｎ／ｃｍ２になるように、好ましくは２２Ｎ／ｃｍ２になるように転写定着ローラ４１と加圧ローラ４２とが押圧される。
【００８３】
第２ニップ部５５の圧力が１３．３Ｎ／ｃｍ２未満であると、面圧不足により、転写定着ローラ４１の中間層４７が変形しなくなり、記録紙の凹部に対応する変形追従をしなくなるので、マイクロオフセットの発生が顕著になる。逆に、第２ニップ部５５の圧力が３３．３Ｎ／ｃｍ２を超えると、マイクロオフセットの発生が防止され、定着強度も向上できるが、反面、連続回転駆動時間が約５００時間を過ぎたあたりから、転写定着ローラ４１のＰＦＡ塗布層４８が、中間層４７であるゴム層から剥離するという現象、また転写定着ローラ４１の中空芯金４６から中間層４７が剥離するという問題が発生する。
【００８４】
以下、第２ニップ部５５の圧力範囲の算定理由について説明する。第２ニップ部５５で形成されるニップ幅は、０．４ｃｍ〜０．５ｃｍである。ニップ部形成のために付与される力は、ローラ強度（加圧力が高すぎると表層のコートの剥離およびゴムと芯金との剥離が発生する）を考慮すると、また、転写定着性を確保し、マイクロオフセットの発生を効果的に防止するためには、ある程度の大きさが必要であり、これらを総合的に勘案すると、好適値としては片側１００Ｎから２００Ｎ程度になる。
【００８５】
これを面圧力に換算すると、最小値が式（３）で、最大値が式（４）で与えられる。なお、式（３）および式（４）中の「３０ｃｍ」は、ニップ長さすなわちローラ長さである。
１００Ｎ×２／（０．５ｃｍ×３０ｃｍ）＝１３．３Ｎ／ｃｍ２      …（３）
２００Ｎ×２／（０．４ｃｍ×３０ｃｍ）＝３３．３Ｎ／ｃｍ２      …（４）
【００８６】
なお、第２ニップ部５５の圧力の最適値として、ニップ幅および力の中間値をとることにすると、ニップ幅：０．４５ｃｍ、力は片側：１５０Ｎであるので、２２Ｎ／ｃｍ２が得られる。
【００８７】
転写定着ローラ４１の第１ニップ部５０において、中間転写ベルト２１から転写定着ローラ４１上に転写されたトナー像は、転写定着ローラ４１の矢符５１方向の回転によって第２ニップ部５５まで搬送される。この第１ニップ部５０から第２ニップ部５５まで搬送される過程において、転写定着ローラ４１上のトナーは、転写定着ローラ４１によって充分に加熱されるので、ドットおよび細線画像は、適度な熱凝集作用により再現性が向上し、ベタ画像は、トナー粒同士の引き合い力が働いてフィルミングされることによってベタ濃度が向上し、非常に高画質な画像を得ることができる。
【００８８】
したがって、転写定着ローラ４１上のトナーを充分に加熱するためには、転写定着ローラ４１の外周面上における第１ニップ部５０から第２ニップ部５５に到るまでの距離が重要である。第１ニップ部５０から第２ニップ部５５に到るまでの距離を長くすることによって、トナーを加熱する時間を長くすることができるので、転写定着ローラ４１の表面上でトナーを充分に溶融することができる。
【００８９】
本発明が想定する高速プロセスにおけるプロセス速度１００ｍｍ／ｓｅｃ〜４００ｍｍ／ｓｅｃの画像形成装置においては、第１ニップ部５０から第２ニップ部５５に到るまでの距離を５０ｍｍ以上にすることによって、転写定着ローラ４１上のトナーを充分に加熱し、上記の効果を発揮することができる。
【００９０】
なお、本実施形態では、第１ニップ部５０と第２ニップ部５５とは、転写定着ローラ４１の外周面上において１８０°の対向位置に形成されるので、第１ニップ部５０から第２ニップ部５５に到るまでの距離を５０ｍｍ以上にすることは、転写定着ローラ４１の周長を１００ｍｍ（５０ｍｍ×２）以上にすることを意味する。前述のように、本実施形態の転写定着ローラ４１は、外径が４０ｍｍであるので、その周長は４０ｍｍ×３．１４＝１２５．６ｍｍであり、１００ｍｍ以上に設定される。
【００９１】
転写定着ローラ４１の回転に伴って第２ニップ部５５まで搬送された転写定着ローラ４１上のトナー像は、第２ニップ部５５において、不図示の用紙搬送部によって第２ニップ部５５まで搬送される記録紙Ｐ上に３次転写されるとともに、転写定着ローラ４１と加圧ローラ４２とによる加熱および加圧によって定着されて最終画像となる。
【００９２】
このとき、第２ニップ部５５において、ニップ幅は適度な加熱幅（４ｍｍ〜５ｍｍ程度）を有し、第２ニップ部５５内に搬送されてくる記録紙Ｐも加熱しながらトナー像を転写定着できるので、トナーと記録紙Ｐとの界面におけるトナーの急激な温度低下をきたすことがなく、転写定着ローラ４１による搬送過程で事前に充分溶融されたトナーは、記録紙Ｐの繊維内に深く入り込み、アンカー効果となって定着強度の強固な最終画像を得ることができる。
【００９３】
このように、画像形成装置１では、第１ニップ部５０から第２ニップ部５５までトナー像を搬送する過程において、転写定着ローラ４１の外周面上で、３次転写前のトナーを加熱して充分溶融させることができるので、想定される最高速度であるプロセス速度が４００ｍｍ／ｓｅｃのときにおいても、転写定着ローラ４１の定着設定温度が１８０℃程度で、充分な定着強度を得ることが可能である。したがって、画像形成装置１の定着部で消費する電力量を大きく低減できるので、最大消費電力が１．５ｋＶＡ（１００Ｖ，１５Ａ）以内に収めることができ、画像形成装置１を一般的なオフィスおよび家庭へ導入することが可能になる。
【００９４】
また、画像形成装置１では、２次および３次転写を、熱転写作用による転写によって行うので、電界転写特有の問題である、転写散りの発生、中間転写ベルト上での転写残り（転写効率低下）も発生しない。したがって、トナーを効率的に消費できるので、中間転写ベルト上で発生する廃トナーを回収する機構、また中間転写ベルトに対するクリーニング機構を設けなくてもよい。
【００９５】
なお、本発明は、上記実施形態に限定されるものではなく、その他種々の変形例を包含することができる。たとえば、本実施形態では、画像形成装置１についてカラーレーザプリンタを例示するけれども、これに限定されることなく、モノクロレーザプリンタなどのモノクロ画像形成装置、カラー複写機として構成される画像形成装置、プリンタ、複写、スキャナなど複数の機能を備える複合機として構成される画像形成装置であってもよい。また、中間転写手段の中間転写媒体として中間転写ベルトを例示するけれども、これに限定されることなく、たとえばドラム形状のものを用いてもよい。
【図面の簡単な説明】
【００９６】
【図１】本発明の実施の一形態である画像形成装置１の構成を示す図である。
【図２】作像ユニット１０ｂ部分の構成を示す拡大図である。
【図３】中間転写ベルト２１の構成を示す断面図である。
【図４】転写定着手段４の構成を示す拡大図である。
【符号の説明】
【００９７】
１  画像形成装置
２  作像手段
３  中間転写手段
４  転写定着手段
１０  作像ユニット
１１  感光体ドラム
２１  中間転写ベルト
４１  転写定着ローラ
４２  加圧ローラ
４３  ２次転写ローラ
５０  第１ニップ部
５５  第２ニップ部
【図１】
0004528258.tif 000002
【図２】
0004528258.tif 000003
【図３】
0004528258.tif 000004
【図４】
0004528258.tif 000005